(57)【要約】【課題】所望のブランドに該当するＰＯＩが無い地域についても、所望のジャンルに該当するＰＯＩアイコンを煩雑な操作を要することなく代替表示することができる「ナビゲーション装置およびＰＯＩアイコン表示方法」を提供すること。【解決手段】設定されたジャンル、ブランドに該当するＰＯＩの判定対象領域内における存否を判定する第１の判定手段２４と、これによって否定的な判定結果が得られた場合に、前記ジャンルに該当する別ブランドのＰＯＩの判定対象領域内における存否を判定する第２の判定手段２６と、これによって肯定的な判定結果が得られた場合に、ＰＯＩアイコン表示手段２１に対して、前記別ブランドのＰＯＩのアイコンを判定対象領域に該当する地図上に代替表示させるための制御を行うＰＯＩアイコン表示制御手段２７とを備えたこと。【選択図】  図２
2013238410.tif 000002
【特許請求の範囲】
【請求項１】
地図情報が記憶された地図情報記憶手段と、
ＰＯＩの位置、ジャンルおよびこのジャンルに属するブランドを少なくとも含むＰＯＩ情報が記憶されたＰＯＩ情報記憶手段と、
前記地図情報記憶手段に記憶された前記地図情報に基づいて、所定の地図表示領域に該当する地図を表示部に表示する地図表示手段と、
前記地図上に重畳表示すべき前記ＰＯＩの条件として、少なくとも、前記ジャンルおよび前記ブランドを設定可能とされたＰＯＩ表示条件設定手段と、
前記ＰＯＩ情報記憶手段に記憶された前記ＰＯＩ情報に基づいて、前記ＰＯＩ表示条件設定手段によって設定された前記条件に該当する該当ＰＯＩのアイコンを前記地図上に重畳表示するＰＯＩアイコン表示手段と
を備えたナビゲーション装置であって、
前記ＰＯＩ表示条件設定手段によって前記ジャンルおよび前記ブランドが設定された場合に、前記記憶されたＰＯＩ情報に基づいて、前記該当ＰＯＩとしての前記設定されたジャンルおよびブランドに該当するジャンル・ブランド該当ＰＯＩが所定の判定対象領域内に存在するか否かを判定する第１の判定手段と、
この第１の判定手段によって否定的な判定結果が得られた場合に、前記記憶されたＰＯＩ情報に基づいて、前記設定されたジャンルに該当する前記設定されたブランドと異なるブランドの前記ＰＯＩが前記判定対象領域内に存在するか否かを判定する第２の判定手段と、
この第２の判定手段によって肯定的な判定結果が得られた場合に、前記ＰＯＩアイコン表示手段に対して、前記異なるブランドのＰＯＩを前記ジャンル・ブランド該当ＰＯＩに代替して表示されるべき代替ＰＯＩとして設定して、当該代替ＰＯＩのアイコンを前記判定対象領域に該当する前記地図上に重畳表示させるための制御を行うＰＯＩアイコン表示制御手段と
を備えたことを特徴とするナビゲーション装置。
【請求項２】
現在地を特定する現在地特定手段を備え、
前記地図表示領域は、前記現在地特定手段によって特定された前記現在地の周辺の所定範囲の領域であり、
前記判定対象領域は、前記特定された現在地が属する行政区画に隣接するとともに前記地図表示領域に少なくとも一部が含まれている他の行政区画の全域であり、
前記記憶された地図情報に基づいて、前記地図表示領域に前記他の行政区画が含まれているか否かを判定する第３の判定手段を備え、
前記第１の判定手段による判定は、前記第３の判定手段によって肯定的な判定結果が得られた場合に行うこと
を特徴とする請求項１に記載のナビゲーション装置。
【請求項３】
前記他の行政区画は、進入予定の行政区画であること
を特徴とする請求項２に記載のナビゲーション装置。
【請求項４】
前記第３の判定手段は、目的地までの経路が設定されている場合には、当該経路の情報を判定に利用すること
を特徴とする請求項３に記載のナビゲーション装置。
【請求項５】
前記ＰＯＩ表示条件設定手段によって前記ジャンルおよび前記ブランドが設定された際の前記特定された現在地を始点として、前記第３の判定手段による判定と、この第３の判定手段の判定結果に応じた前記第１の判定手段による判定と、この第１の判定手段の判定結果に応じた前記第２の判定手段による判定と、この第２の判定手段の判定結果に応じた前記ＰＯＩアイコン表示制御手段による制御とを、前記特定された現在地の変動にともなって繰り返し行うこと
を特徴とする請求項２乃至請求項４のいずれか１項に記載のナビゲーション装置。
【請求項６】
前記行政区画は、都道府県であること
を特徴とする請求項１乃至請求項５のいずれか１項に記載のナビゲーション装置。
【請求項７】
現在地を特定する現在地特定手段を備え、
前記地図表示領域は、前記現在地特定手段によって特定された前記現在地の周辺の所定範囲の領域であり、
前記判定対象領域は、前記地図表示領域であり、
前記第１の判定手段による判定と、この第１の判定手段の判定結果に応じた前記第２の判定手段による判定と、この第２の判定手段の判定結果に応じた前記ＰＯＩアイコン表示制御手段による制御とを、前記特定された現在地の変動にともなって繰り返し行うこと
を特徴とする請求項１に記載のナビゲーション装置。
【請求項８】
地図上に重畳表示すべきＰＯＩの条件を設定する第１のステップと、
記憶装置に記憶された地図情報に基づいて、所定の地図表示領域に該当する地図を表示部に表示する第２のステップと、
ＰＯＩの位置、ジャンルおよびこのジャンルに属するブランドを少なくとも含む記憶装置に記憶されたＰＯＩ情報に基づいて、前記第１のステップにおいて設定された前記条件に該当する該当ＰＯＩのアイコンを、前記第２のステップにおいて表示された前記地図上に重畳表示する第３のステップと
を含むＰＯＩアイコン表示方法であって、
前記第１のステップにおいて前記ジャンルおよび前記ブランドが設定された場合に、前記記憶されたＰＯＩ情報に基づいて、前記該当ＰＯＩとしての前記設定されたジャンルおよびブランドに該当するジャンル・ブランド該当ＰＯＩが所定の判定対象領域内に存在するか否かを判定する第４のステップと、
この第４のステップにおいて否定的な判定結果が得られた場合に、前記記憶されたＰＯＩ情報に基づいて、前記設定されたジャンルに該当する前記設定されたブランドと異なるブランドの前記ＰＯＩが前記判定対象領域内に存在するか否かを判定する第５のステップと
を含み、
前記第３のステップは、
前記第５のステップにおいて肯定的な判定結果が得られた場合に、前記異なるブランドのＰＯＩを前記ジャンル・ブランド該当ＰＯＩに代替して表示されるべき代替ＰＯＩとして設定して、当該代替ＰＯＩのアイコンを前記判定対象領域に該当する前記地図上に重畳表示するステップであること
を特徴とするＰＯＩアイコン表示方法。
【請求項９】
現在地を特定する第６のステップを含み、
前記地図表示領域は、前記第６のステップにおいて特定された前記現在地の周辺の所定範囲の領域であり、
前記判定対象領域は、前記特定された現在地が属する行政区画に隣接するとともに前記地図表示領域に少なくとも一部が含まれている他の行政区画の全域であり、
前記記憶された地図情報に基づいて、前記地図表示領域に前記他の行政区画が含まれているか否かを判定する第７のステップを含み、
前記第４のステップにおける判定は、前記第７のステップにおいて肯定的な判定結果が得られた場合に行うこと
を特徴とする請求項８に記載のＰＯＩアイコン表示方法。
【請求項１０】
前記他の行政区画は、進入予定の行政区画であり、
前記第７のステップは、目的地までの経路が設定されている場合に、当該経路の情報を利用した判定を行うステップであること
を特徴とする請求項９に記載のＰＯＩアイコン表示方法。
【請求項１１】
前記第１のステップにおいて前記ジャンルおよび前記ブランドが設定された際の前記特定された現在地を始点として、前記第７のステップにおける判定と、この第７のステップにおける判定結果に応じた前記第４のステップにおける判定と、この第４のステップにおける判定結果に応じた前記第５のステップにおける判定と、この第５のステップにおける判定結果に応じた前記第３のステップにおける前記代替ＰＯＩのアイコンの重畳表示とを、前記特定された現在地の変動にともなって繰り返し行うこと
を特徴とする請求項９または請求項１０に記載のＰＯＩアイコン表示方法。
【請求項１２】
現在地を特定する第６のステップを含み、
前記地図表示領域は、前記第６のステップにおいて特定された前記現在地の周辺の所定範囲の領域であり、
前記判定対象領域は、前記地図表示領域であり、
前記第４のステップにおける判定と、この第４のステップにおける判定結果に応じた前記第５のステップにおける判定と、この第５のステップにおける判定結果に応じた前記第３のステップにおける前記代替ＰＯＩのアイコンの重畳表示とを、前記特定された現在地の変動にともなって繰り返し行うこと
を特徴とする請求項８に記載のＰＯＩアイコン表示方法。
【発明の詳細な説明】
【技術分野】
【０００１】
本発明は、ナビゲーション装置およびＰＯＩアイコン表示方法に係り、特に、地図上へのＰＯＩのアイコン（以下、ＰＯＩアイコンと略称する）の重畳表示に好適なナビゲーション装置およびＰＯＩアイコン表示方法に関する。
【背景技術】
【０００２】
従来から、ナビゲーション装置においては、例えば、現在地の周辺の地図を表示部に表示する際に、ユーザが予め設定したジャンルおよびこのジャンルに属するブランドに該当するＰＯＩ(point of interest)アイコンを、当該地図上に重畳表示することが可能とされていた。
【０００３】
このような地図上へのＰＯＩアイコンの重畳表示に関する技術としては、これまでにも、例えば、特許文献１等に示すような種々の技術が提案されている。
【先行技術文献】
【特許文献】
【０００４】
【特許文献１】特開２００５−２１４７８３号公報
【発明の概要】
【発明が解決しようとする課題】
【０００５】
ところで、前述したＰＯＩアイコンの表示条件として設定されたブランドが、ユーザの地元付近に限定した事業展開を行っているローカルブランドである等の事情によって、設定されたブランドに該当するＰＯＩが、現在地の周辺に存在しない、あるいは、現在地の変動（例えば、他県への移動）にともなって存在しなくなる場合がある。
【０００６】
そして、このような場合に、従来は、設定されたブランドに対する上階層設定項目として設定されたジャンルに属する全てのブランドのＰＯＩアイコンが表示されなかったため、設定されたジャンルに属する別ブランドのＰＯＩアイコンを代わりに表示させたい場合には、ブランド設定をやり直さなければならず、煩雑な操作を強いられる結果となっていた。
【０００７】
なお、特許文献１には、地図の視認性を考慮しつつ、ユーザが興味ある施設を広範囲にわたって表示することが記載されているが、設定されたブランドのＰＯＩが存在しない場合における上記課題を意識したものではない。
【０００８】
そこで、本発明は、このような点に鑑みなされたものであり、所望のブランドに該当するＰＯＩが存在しない地域についても、所望のジャンルに該当するＰＯＩアイコンを煩雑な操作を要することなく代替表示することができ、ひいては、利便性の向上および操作負担の軽減を図ることができるナビゲーション装置およびＰＯＩアイコン表示方法を提供することを目的とするものである。
【課題を解決するための手段】
【０００９】
前述した目的を達成するため、本発明に係るナビゲーション装置は、地図情報が記憶された地図情報記憶手段と、ＰＯＩの位置、ジャンルおよびこのジャンルに属するブランドを少なくとも含むＰＯＩ情報が記憶されたＰＯＩ情報記憶手段と、前記地図情報記憶手段に記憶された前記地図情報に基づいて、所定の地図表示領域に該当する地図を表示部に表示する地図表示手段と、前記地図上に重畳表示すべき前記ＰＯＩの条件として、少なくとも、前記ジャンルおよび前記ブランドを設定可能とされたＰＯＩ表示条件設定手段と、前記ＰＯＩ情報記憶手段に記憶された前記ＰＯＩ情報に基づいて、前記ＰＯＩ表示条件設定手段によって設定された前記条件に該当する該当ＰＯＩのアイコンを前記地図上に重畳表示するＰＯＩアイコン表示手段とを備えたナビゲーション装置であって、前記ＰＯＩ表示条件設定手段によって前記ジャンルおよび前記ブランドが設定された場合に、前記記憶されたＰＯＩ情報に基づいて、前記該当ＰＯＩとしての前記設定されたジャンルおよびブランドに該当するジャンル・ブランド該当ＰＯＩが所定の判定対象領域内に存在するか否かを判定する第１の判定手段と、この第１の判定手段によって否定的な判定結果が得られた場合に、前記記憶されたＰＯＩ情報に基づいて、前記設定されたジャンルに該当する前記設定されたブランドと異なるブランドの前記ＰＯＩが前記判定対象領域内に存在するか否かを判定する第２の判定手段と、この第２の判定手段によって肯定的な判定結果が得られた場合に、前記ＰＯＩアイコン表示手段に対して、前記異なるブランドのＰＯＩを前記ジャンル・ブランド該当ＰＯＩに代替して表示されるべき代替ＰＯＩとして設定して、当該代替ＰＯＩのアイコンを前記判定対象領域に該当する前記地図上に重畳表示させるための制御を行うＰＯＩアイコン表示制御手段とを備えたことを特徴としている。
【００１０】
また、本発明に係るＰＯＩアイコン表示方法は、地図上に重畳表示すべきＰＯＩの条件を設定する第１のステップと、記憶装置に記憶された地図情報に基づいて、所定の地図表示領域に該当する地図を表示部に表示する第２のステップと、ＰＯＩの位置、ジャンルおよびこのジャンルに属するブランドを少なくとも含む記憶装置に記憶されたＰＯＩ情報に基づいて、前記第１のステップにおいて設定された前記条件に該当する該当ＰＯＩのアイコンを、前記第２のステップにおいて表示された前記地図上に重畳表示する第３のステップとを含むＰＯＩアイコン表示方法であって、前記第１のステップにおいて前記ジャンルおよび前記ブランドが設定された場合に、前記記憶されたＰＯＩ情報に基づいて、前記該当ＰＯＩとしての前記設定されたジャンルおよびブランドに該当するジャンル・ブランド該当ＰＯＩが所定の判定対象領域内に存在するか否かを判定する第４のステップと、この第４のステップにおいて否定的な判定結果が得られた場合に、前記記憶されたＰＯＩ情報に基づいて、前記設定されたジャンルに該当する前記設定されたブランドと異なるブランドの前記ＰＯＩが前記判定対象領域内に存在するか否かを判定する第５のステップとを含み、前記第３のステップは、前記第５のステップにおいて肯定的な判定結果が得られた場合に、前記異なるブランドのＰＯＩを前記ジャンル・ブランド該当ＰＯＩに代替して表示されるべき代替ＰＯＩとして設定して、当該代替ＰＯＩのアイコンを前記判定対象領域に該当する前記地図上に重畳表示するステップであることを特徴としている。
【００１１】
そして、このような本発明によれば、判定対象領域内にジャンル・ブランド該当ＰＯＩが存在しない場合においても、ジャンル・ブランド該当ＰＯＩと同ジャンル別ブランドのＰＯＩが存在する場合には、このＰＯＩを代替ＰＯＩに設定して自動的にアイコン表示することができるので、所望のブランドに該当するＰＯＩが存在しない地域についても、所望のジャンルに該当するＰＯＩアイコンを煩雑な操作を要することなく代替表示することができ、ひいては、利便性の向上および操作負担の軽減を図ることができる。
【００１２】
さらに、本発明のナビゲーション装置において、現在地を特定する現在地特定手段を備え、前記地図表示領域は、前記現在地特定手段によって特定された前記現在地の周辺の所定範囲の領域であり、前記判定対象領域は、前記特定された現在地が属する行政区画に隣接するとともに前記地図表示領域に少なくとも一部が含まれている他の行政区画の全域であり、前記記憶された地図情報に基づいて、前記地図表示領域に前記他の行政区画が含まれているか否かを判定する第３の判定手段を備え、前記第１の判定手段による判定は、前記第３の判定手段によって肯定的な判定結果が得られた場合に行ってもよい。同様に、本発明のＰＯＩアイコン表示方法において、現在地を特定する第６のステップを含み、前記地図表示領域は、前記第６のステップにおいて特定された前記現在地の周辺の所定範囲の領域であり、前記判定対象領域は、前記特定された現在地が属する行政区画に隣接するとともに前記地図表示領域に少なくとも一部が含まれている他の行政区画の全域であり、前記記憶された地図情報に基づいて、前記地図表示領域に前記他の行政区画が含まれているか否かを判定する第７のステップを含み、前記第４のステップにおける判定は、前記第７のステップにおいて肯定的な判定結果が得られた場合に行ってもよい。
【００１３】
そして、このような本発明によれば、現在地が属する行政区画に隣接する他の行政区画の全域内にジャンル・ブランド該当ＰＯＩが存在しない場合においても、同ジャンル別ブランドのＰＯＩを代替ＰＯＩとして自動的にアイコン表示することによって、煩雑な操作を要することなく、他の行政区画内に存在する所望のジャンルのＰＯＩを確実に把握することができる。
【００１４】
さらにまた、本発明のナビゲーション装置において、前記他の行政区画は、進入予定の行政区画であってもよい。
【００１５】
そして、このような構成によれば、他の行政区画の全域を対象としたジャンル・ブランド該当ＰＯＩの有無の判定を、必要な領域に限定して行うことができるので、無用な処理を未然に回避して、ＰＯＩアイコン表示処理の効率化を図ることができる。
【００１６】
また、本発明のナビゲーション装置において、前記第３の判定手段は、目的地までの経路が設定されている場合には、当該経路の情報を判定に利用してもよい。同様に、本発明のＰＯＩアイコン表示方法において、前記他の行政区画は、進入予定の行政区画であり、前記第７のステップは、目的地までの経路が設定されている場合に、当該経路の情報を利用した判定を行うステップであってもよい。
【００１７】
そして、このような本発明によれば、他の行政区画が進入予定の行政区画であるか否かを、経路の設定状態に基づいて簡便かつ正確に判定することができるので、処理効率および処理精度を更に向上させることができる。
【００１８】
さらに、本発明のナビゲーション装置において、前記ＰＯＩ表示条件設定手段によって前記ジャンルおよび前記ブランドが設定された際の前記特定された現在地を始点として、前記第３の判定手段による判定と、この第３の判定手段の判定結果に応じた前記第１の判定手段による判定と、この第１の判定手段の判定結果に応じた前記第２の判定手段による判定と、この第２の判定手段の判定結果に応じた前記ＰＯＩアイコン表示制御手段による制御とを、前記特定された現在地の変動にともなって繰り返し行ってもよい。同様に、本発明のＰＯＩアイコン表示方法において、前記第１のステップにおいて前記ジャンルおよび前記ブランドが設定された際の前記特定された現在地を始点として、前記第７のステップにおける判定と、この第７のステップにおける判定結果に応じた前記第４のステップにおける判定と、この第４のステップにおける判定結果に応じた前記第５のステップにおける判定と、この第５のステップにおける判定結果に応じた前記第３のステップにおける前記代替ＰＯＩのアイコンの重畳表示とを、前記特定された現在地の変動にともなって繰り返し行ってもよい。
【００１９】
そして、このような本発明によれば、例えば、所望のジャンルおよびブランドを設定した際の所在行政区画（例えば、ユーザの居住県）においてはジャンル・ブランド該当ＰＯＩが存在していたが、その後、他の行政区画に次々と進入していく場合において、ジャンル・ブランド該当ＰＯＩの有無や代替ＰＯＩのブランドが各行政区画ごとに異なるような場合に好適に対応することができる。
【００２０】
さらにまた、本発明のナビゲーション装置において、前記行政区画は、都道府県であってもよい。
【００２１】
そして、このような構成によれば、現在地の所在都道府県に隣接する他の都道府県内にジャンル・ブランド該当ＰＯＩが存在しない場合においても、同ジャンル別ブランドのＰＯＩを代替ＰＯＩとして自動的にアイコン表示することができる。
【００２２】
また、本発明のナビゲーション装置において、現在地を特定する現在地特定手段を備え、前記地図表示領域は、前記現在地特定手段によって特定された前記現在地の周辺の所定範囲の領域であり、前記判定対象領域は、前記地図表示領域であり、前記第１の判定手段による判定と、この第１の判定手段の判定結果に応じた前記第２の判定手段による判定と、この第２の判定手段の判定結果に応じた前記ＰＯＩアイコン表示制御手段による制御とを、前記特定された現在地の変動にともなって繰り返し行ってもよい。同様に、本発明のＰＯＩアイコン表示方法において、現在地を特定する第６のステップを含み、前記地図表示領域は、前記第６のステップにおいて特定された前記現在地の周辺の所定範囲の領域であり、前記判定対象領域は、前記地図表示領域であり、前記第４のステップにおける判定と、この第４のステップにおける判定結果に応じた前記第５のステップにおける判定と、この第５のステップにおける判定結果に応じた前記第３のステップにおける前記代替ＰＯＩのアイコンの重畳表示とを、前記特定された現在地の変動にともなって繰り返し行ってもよい。
【００２３】
そして、このような本発明によれば、地図表示領域内にジャンル・ブランド該当ＰＯＩが存在しない場合においても、同ジャンル別ブランドのＰＯＩを代替ＰＯＩとして自動的にアイコン表示することによって、煩雑な操作を要することなく、地図表示領域内に存在する所望のジャンルのＰＯＩを確実に把握することができ、また、現在地の変動にも柔軟に対応することができる。
【発明の効果】
【００２４】
本発明によれば、所望のブランドに該当するＰＯＩが存在しない地域についても、所望のジャンルに該当するＰＯＩアイコンを煩雑な操作を要することなく代替表示することができ、ひいては、利便性の向上および操作負担の軽減を図ることができる。
【図面の簡単な説明】
【００２５】
【図１】本発明に係るナビゲーション装置の第１実施形態を示す構成図
【図２】図１のナビゲーション装置の制御部を示すブロック図
【図３】図１のナビゲーション装置の動作例を示す画面遷移図
【図４】第１実施形態の変形例を示す画面構成図
【図５】本発明に係るＰＯＩアイコン表示方法の第１実施形態を示すフローチャート
【図６】本発明に係るナビゲーション装置の第２実施形態を示すブロック図
【図７】図６のナビゲーション装置の動作例を示す画面遷移図
【図８】本発明に係るＰＯＩアイコン表示方法の第２実施形態を示すフローチャート
【発明を実施するための形態】
【００２６】
（第１実施形態）
（ナビゲーション装置）
以下、本発明に係るナビゲーション装置の第１実施形態について、図１乃至図４を参照して説明する。
【００２７】
図１に示すように、本実施形態におけるナビゲーション装置１は、大別して、ナビゲーションメインユニット２と、このナビゲーションメインユニット２にそれぞれ接続された衛星航法受信機３、自律航法センサ４、操作部５、表示部としてのディスプレイ６およびスピーカ７とによって構成されている。
【００２８】
ここで、衛星航法受信機３は、図示しない測位衛星（例えば、ＧＰＳ衛星）から定期的に配信される測位信号（時刻や軌道に関する情報）を逐次受信し、受信した測位信号をナビゲーションメインユニット２側に出力するようになっている。
【００２９】
また、自律航法センサ４は、自車の車速、加速度（角速度）および自車方位等を検出し、検出結果をナビゲーションメインユニット２側に出力するようになっている。この自律航法センサ４は、車速センサやジャイロセンサ等からなるものであってもよい。
【００３０】
さらに、操作部５は、操作内容に応じた操作信号をナビゲーションメインユニット２に入力することによって、ナビゲーション装置１に対する種々の操作を行うことが可能とされている。この操作部５は、リモコンやディスプレイ６のタッチパネル等であってもよい。
【００３１】
次に、ナビゲーションメインユニット２について詳述すると、図１に示すように、ナビゲーションメインユニット２は、システムバス８にそれぞれ接続されたナビＣＰＵ１０、ハードディスクドライブ（ＨＤＤ）１１、フラッシュメモリ１２、ＲＡＭ１４、ユーザインターフェース（Ｉ／Ｆ）１５、画像インターフェース（Ｉ／Ｆ）１６および音声インターフェース（Ｉ／Ｆ）１７を有している。
【００３２】
ここで、ナビＣＰＵ１０は、地図表示機能、ＰＯＩアイコン表示機能、経路探索機能、経路誘導機能および検索機能等のナビゲーション装置１の各種の機能を実行するようになっている。
【００３３】
また、ハードディスクドライブ１１は、地図情報記憶手段およびＰＯＩ情報記憶手段としての機能を有しており、このハードディスクドライブ１１には、地図情報としての地図データおよびＰＯＩ情報としてのＰＯＩデータが記憶されている。なお、後述のように、本実施形態においては、ＰＯＩデータが地図データに含まれているが、本発明は、このような構成に限定されるものではなく、地図データとＰＯＩデータとが、別個のデータベースによって互いに対応付けられた状態で管理されていてもよい。
【００３４】
ここで、地図データは、最も詳細な地図を示す最下位レベル（レベル０）から最も簡易な地図を示す最上位レベル（例えば、レベル２）に亘る複数のレベルごとに階層化された状態で管理されており、また、各レベルにおける地図データは、各レベルに応じた大きさのパーセル単位で管理されている。
【００３５】
また、地図データは、例えば、道路データフレーム、背景データフレーム、名称データフレーム、経路誘導データフレーム、経路計算データフレーム、地点情報フレームおよび音声データフレーム等の各種の物理データフレームによって構成されている。
【００３６】
これらのうち、道路データフレームは、道路地図の表示等に用いられるようになっている。この道路データフレームには、リンク列データレコードが格納されており、このリンク列データレコードは、リンク列ヘッダ、リンク列の形状を示すリンク列形状情報、他のリンク列との関係を示すノード・リンク接続情報、ノード付加情報（リンクＩＤ、幅員・車線情報、道路名称等）、標高情報および通行規制情報等によって構成されている。
【００３７】
また、背景データフレームは、背景地図の表示等に用いられるようになっている。この背景データフレームには、表示クラスごとにまとめられた図形データリスト列が格納されており、更に、各図形データリストには、図形（線または面）の形状を表現するための要素点座標情報（始点座標、オフセット座標等）が格納されている。
【００３８】
さらに、名称データフレームは、地図上への文字列の表示等に用いられるようになっている。この名称データフレームには、表示クラスごとにまとめられた名称データリストが格納されており、この名称データリストは、名称データレコード列によって構成されている。各名称データレコードは、地図上に文字を表示するための文字データに相当する。この名称データフレームを用いて表示される文字列は、例えば、建物名、公園名、行政区画名および河川名等の表示クラスごとの表示対象地物の名称となる。
【００３９】
さらにまた、経路計算データフレームは、目的地までの最適経路の計算等の経路計算に用いられるようになっており、この経路計算データフレームには、ノードデータフレーム、リンクデータフレーム、リンクコストデータフレーム、上位レベルノード・リンク対応データフレームおよびノード座標データフレーム等が格納されている。ここで、ノードデータフレームには、例えば、道路種別を複数まとめたランクの単位でノードデータが格納されている。また、リンクデータフレームには、リンクレコード、規制レコードおよびリンク間コストレコード等が格納されている。さらに、リンクコストデータフレームには、リンクＩＤやリンク自身のコスト等が格納されている。さらにまた、上位レベルノード・リンク対応データフレームには、当該レベルを基準とした上位のノードおよびリンクを特定する情報が格納されている。また、ノード座標データフレームには、ノードの座標が格納されている。
【００４０】
また、経路誘導データフレームは、経路誘導に用いられるようになっており、この経路誘導データフレームには、誘導データフレーム、文字列データフレーム、形状データフレームおよびパターンデータフレーム等が格納されている。ここで、誘導データフレームには、交差点名称、道路名称、方面名称、スポットガイドおよび方向ガイド等が格納されている。また、文字列データフレームには、誘導データフレームと関連した実体の表示文字、発音文字およびアクセント情報等が格納されている。さらに、形状データフレームには、誘導データフレームと関連した実体を描画するための形状が格納されている。さらにまた、パターンデータフレームには、案内のために交差点の進入方向に応じた画像を描画するための実データが格納されている。
【００４１】
さらに、地点情報フレームにはＰＯＩデータを含む地点情報が格納されている。この地点情報は、目的地または経由地の候補となる地点の検索や、地図上へのＰＯＩアイコン（換言すれば、ランドマーク）の重畳表示等に用いられるようになっている。この地点情報は、具体的には、地点（ＰＯＩを含む）の名称、位置（経緯度）、住所、郵便番号、電話番号、種別およびＰＯＩアイコン等によって構成されている。ここで、ＰＯＩの種別には、複数のジャンル（例えば、コンビニ、ガソリンスタンド、レストラン等）および各ジャンルにそれぞれ属する各ジャンルごとの複数のブランド（例えば、ジャンルがコンビニの場合には、コンビニ名「Ａ」、コンビニ名「Ｂ」、コンビニ名「Ｃ」等）が含まれている。また、互いに対応するジャンルとブランドとは、データ上において階層構造を有しており、ジャンルが上階層、ブランドが下階層となっている。ＰＯＩ検索の際には、ジャンル側から順に対象が絞り込まれていくことになる。さらに、地点情報には、行政区画の名称や位置が含まれている。
【００４２】
さらにまた、ハードディスクドライブ１１には、ナビＣＰＵ１０の実行プログラムが記憶されている。
【００４３】
また、フラッシュメモリ１２には、ナビゲーション装置１の起動とともにナビＣＰＵ１０によってハードディスクドライブ１１から読み出されたナビＣＰＵ１０の実行プログラムが格納されるようになっており、この格納された実行プログラムがナビＣＰＵ１０によって適宜実行されることによって、ナビゲーション装置１の各種の機能が実現されるようになっている。
【００４４】
さらに、ＲＡＭ１４は、ナビＣＰＵ１０の処理結果等の各種のデータの一時的な保存等に用いられるようになっている。
【００４５】
さらにまた、ユーザインターフェース１５、画像インターフェース１６および音声インターフェース１７には、操作部５、ディスプレイ６およびスピーカ７がそれぞれ接続されている。
【００４６】
次に、ナビＣＰＵ１０について更に詳述すると、図２に示すように、ナビＣＰＵ１０は、その機能ブロックの１つとして、現在地特定手段としての自車位置算出部１８を有している。この自車位置算出部１８には、衛星航法受信機３から出力された測位信号および自律航法センサ４から出力された検出結果が入力されるようになっている。そして、自車位置算出部１８は、衛星航法受信機３側から入力された測位信号に基づいて、自車位置を絶対座標として算出する衛星航法を行うようになっている。また、自車位置算出部１８は、自律航法センサ４側から入力された検出結果に基づいて、自車位置を前回の測位位置からの相対的な変化分として算出する自律航法を行うようになっている。さらに、自車位置算出部１８は、ハードディスクドライブ１１に記憶された地図データを用いることによって、衛星航法または自律航法によって検出された自車位置を地図データにおける該当する道路上の位置に補正するマップマッチング処理を行うようになっている。そして、自車位置算出部１８は、マップマッチング処理が適正に行われた場合には、マップマッチング処理後の自車位置を最終的な算出結果とするようになっている。
【００４７】
また、図２に示すように、ナビＣＰＵ１０は、その機能ブロックの１つとして、地図表示手段としての地図描画部１９を有している。この地図描画部１９は、ハードディスクドライブ１１に記憶された地図データを用いることによって、所定の地図表示領域に該当する地図をディスプレイ６に表示するようになっている。このとき、地図描画部１９は、例えば、自車位置算出部１８の算出結果や操作部５の操作等によって指定された表示位置、デフォルト設定や操作部５の操作等によって設定された縮尺および既知の画面サイズの各表示条件に応じたパーセル（地図表示領域に該当するパーセル）を特定するようになっている。さらに、地図描画部１９は、このようにして特定されたパーセルに該当する地図データをハードディスクドライブ１１から読み出し、読み出された地図データを座標変換（例えば、パーセル正規化座標系から画面座標系に座標変換）することによって、地図の描画データを生成するようになっている。そして、地図描画部１９は、生成された描画データをディスプレイ６に出力して対応する画像に変換させることによって、地図を表示するようになっている。なお、地図描画部１９によって表示される地図には、自車位置の周辺の領域を示す地図（以下、必要に応じて自車周辺地図と称する）や、操作部５を用いたスクロール操作によって指定された領域を示す地図等が含まれる。
【００４８】
さらに、図２に示すように、ナビＣＰＵ１０は、その機能ブロックの１つとして、ＰＯＩ表示条件設定手段としてのＰＯＩ表示条件設定部２０を有している。このＰＯＩ表示条件設定部２０は、例えば、地図上に重畳表示すべきＰＯＩの条件を設定するためのＰＯＩ表示条件設定画面をディスプレイ６に表示した上で、表示されたＰＯＩ表示条件設定画面に対する操作部５の操作結果に応じた条件を設定するようになっている。この条件には、少なくとも、ＰＯＩのジャンルおよびこのジャンルに属するブランドが含まれている。なお、ＰＯＩ表示条件設定画面は、上階層側の設定項目であるジャンルの設定画面または設定欄と、下階層側の設定項目であるブランドの設定画面または設定欄とを備えたものであってもよい。また、ＰＯＩ表示条件設定画面においては、ＰＯＩデータに基づいて、ジャンルおよびブランドの候補を選択可能な状態で表示させるようにしてもよい。
【００４９】
さらにまた、図２に示すように、ナビＣＰＵ１０は、その機能ブロックの１つとして、ＰＯＩアイコン表示手段としてのＰＯＩアイコン描画部２１を有している。このＰＯＩアイコン描画部２１は、ハードディスクドライブ１１に記憶されたＰＯＩデータに基づいて、ＰＯＩ表示条件設定部２０によって設定された条件に該当する該当ＰＯＩのアイコンを、地図描画部１９によって表示される地図上における該当する位置に重畳表示するようになっている。このとき、ＰＯＩアイコン描画部２１は、地図描画部１９によって特定された地図表示領域に該当するパーセルに位置的に対応するＰＯＩをＰＯＩデータから検索し、検出されたＰＯＩの中から、ＰＯＩ表示条件設定部２０の設定結果に基づいて該当ＰＯＩを抽出し、抽出された該当ＰＯＩをアイコン表示するようにしてもよい。
【００５０】
また、図２に示すように、ナビＣＰＵ１０は、その機能ブロックの１つとして、第３の判定手段としての隣接行政区画含否判定部２３を有している。この隣接行政区画含否判定部２３は、ＰＯＩ表示条件設定部２０によってジャンルおよびブランドが設定された場合に、ハードディスクドライブ１１に記憶された地図データに基づいて、現在の自車位置が属する行政区画に隣接する他の行政区画（以下、隣接行政区画と称する）が、地図表示領域に含まれているか否かを判定するようになっている。ただし、地図表示領域に隣接行政区画が当該区画の一部でも含まれている場合には、隣接行政区画含否判定部２３の判定結果は肯定的なものとなる。なお、隣接行政区画は、自車位置が属する都道府県に隣接する他の都道府県であってもよく、また、自車位置が属する市区町村に隣接する他の市区町村であってもよい。
【００５１】
さらに、図２に示すように、ナビＣＰＵ１０は、その機能ブロックの１つとして、第１の判定手段としてのジャンル・ブランド該当ＰＯＩ有無判定部２４を有している。このジャンル・ブランド該当ＰＯＩ有無判定部２４は、隣接行政区画含否判定部２３によって肯定的な判定結果が得られた場合に、ハードディスクドライブ１１に記憶されたＰＯＩデータに基づいて、該当ＰＯＩとしてのＰＯＩ表示条件設定部２０によって設定されたジャンルおよびブランドに該当するジャンル・ブランド該当ＰＯＩが、所定の判定対象領域としての隣接行政区画の全域内に存在するか否かを判定するようになっている。この判定は、隣接行政区画の全域を対象としたジャンル・ブランド該当ＰＯＩの検索結果に基づいて行う。
【００５２】
さらにまた、図２に示すように、ナビＣＰＵ１０は、その機能ブロックの１つとして、第２の判定手段としてのジャンル該当・別ブランドＰＯＩ有無判定部２６を有している。このジャンル該当・別ブランドＰＯＩ有無判定部２６は、ジャンル・ブランド該当ＰＯＩ有無判定部２４によって否定的な判定結果が得られた場合に、ハードディスクドライブ１１に記憶されたＰＯＩデータに基づいて、前記設定されたジャンルに該当する前記設定されたブランドと異なるブランドのＰＯＩ（以下、ジャンル該当・別ブランドＰＯＩと称する）が隣接行政区画の全域内に存在するか否かを判定するようになっている。この判定は、隣接行政区画の全域を対象としたジャンル該当・別ブランドＰＯＩの検索結果に基づいて行う。ただし、ジャンル・ブランド該当ＰＯＩの検索の際に、ジャンルのみに該当するＰＯＩを最初に検索する場合には、この検索結果を保持しておいた上で、続くブランドでの絞り込みによってジャンル・ブランド該当ＰＯＩが不検出となった時点で、当該検索結果をジャンル該当・別ブランドＰＯＩと決定してもよい。
【００５３】
また、図２に示すように、ナビＣＰＵ１０は、その機能ブロックの１つとして、ＰＯＩアイコン表示制御手段としてのＰＯＩアイコン描画制御部２７を有している。このＰＯＩアイコン描画制御部２７は、ジャンル該当・別ブランドＰＯＩ有無判定部２６によって肯定的な判定結果が得られた場合に、ＰＯＩアイコン描画部２１に対して、ジャンル該当・別ブランドＰＯＩをジャンル・ブランド該当ＰＯＩに代替して表示されるべき代替ＰＯＩとして自動設定して、当該代替ＰＯＩのアイコンを隣接行政区画に該当する地図上に重畳表示させるための制御を行うようになっている。そして、このような制御に応じて、ＰＯＩアイコン描画部２１は、ジャンル該当・別ブランドＰＯＩのアイコンを、当該ジャンル該当・別ブランドＰＯＩが地図表示領域に含まれている期間中、地図上の該当する位置に重畳表示するようになっている。
【００５４】
さらに、本実施形態においては、ＰＯＩ表示条件設定部２０によってジャンルおよびブランドが設定された際の算出された自車位置を始点として、隣接行政区画含否判定部２３による判定と、この隣接行政区画含否判定部２３の判定結果に応じたジャンル・ブランド該当ＰＯＩ有無判定部２４による判定と、このジャンル・ブランド該当ＰＯＩ有無判定部２４の判定結果に応じたジャンル該当・別ブランドＰＯＩ有無判定部２６による判定と、このジャンル該当・別ブランドＰＯＩ有無判定部２６の判定結果に応じたＰＯＩアイコン描画制御部２７による制御とを、自車位置の変動にともなって繰り返し行うことが可能とされている。
【００５５】
さらにまた、図２に示すように、ナビＣＰＵ１０は、その機能ブロックの１つとしての目的地設定部３０を有している。この目的地設定部３０は、ナビゲーションの目的地を設定するための各種の操作画面をディスプレイ６に表示した上で、表示された操作画面に対する操作部５の操作に応じた目的地を設定するようになっている。
【００５６】
また、図２に示すように、ナビＣＰＵ１０は、その機能ブロックの１つとしての経路探索部３２を有している。この経路探索部３２は、ハードディスクドライブ１１に記憶された地図データに基づいて、自車位置算出部１８によって算出された自車位置から目的地設定部３０によって設定された目的地までの予め設定された経路探索条件に応じた最適経路を、ダイクストラ法等の公知の経路計算方法を用いて探索するようになっている。経路探索条件は、デフォルトで設定される場合もあるし、ユーザが操作部５を用いた入力操作によって設定する場合もある。そして、経路探索部３２は、探索された最適経路を、ディスプレイ６への表示によって誘導経路の候補としてユーザに提示するようになっている。
【００５７】
さらに、図２に示すように、ナビＣＰＵ１０は、その機能ブロックの１つとしての経路誘導部３３を有している。この経路誘導部３３は、経路探索部３２によって提示された最適経路を誘導経路に設定するための操作部５を用いた入力操作が行われると、この最適経路を誘導経路に設定するようになっている。誘導経路の設定は、誘導経路に関する情報、例えばリンクおよび目的地等をＲＡＭ１４等に保存することによって行うようにしてもよい。そして、経路誘導部３３は、誘導経路の設定の後に、設定された誘導経路にしたがった経路誘導を開始するようになっている。経路誘導は、交差点拡大図をディスプレイ６に表示することや、スピーカ７を介して交差点右左折案内用の音声を出力すること等によって行われるようになっている。
【００５８】
ここで、図３は、以上のように構成された本実施形態のナビゲーション装置１の動作例としての地図表示画面の画面遷移例を示したものである。
【００５９】
すなわち、図３（ａ）は、ジャンルおよびブランドが設定された際の行政区画としての「Ａ県」に、ジャンル・ブランド該当ＰＯＩとしてのガソリンスタンド「Ａ石油」が存在しており、自車周辺地図上に、「Ａ石油」のアイコンが表示された状態を示している。
【００６０】
次に、このような状態から、自車が「Ａ県」内を進行して、図３（ｂ）に示すように、地図表示領域に、「Ａ県」の隣接行政区画としての「Ｂ県」が含まれるようになったとする。そして、図３（ｂ）の状況下で、「Ｂ県」の全域を判定対象としたジャンル・ブランド該当ＰＯＩ有無判定部２４による判定が行われて、「Ｂ県」には「Ａ石油」が存在しないと判定されたものとする。また、これに応じて、「Ｂ県」の全域を判定対象としたジャンル該当・別ブランドＰＯＩ有無判定部２６による判定が行われて、「Ｂ県」には「Ａ石油」と別ブランドのガソリンスタンドが存在すると判定されたものとする。
【００６１】
そして、このような判定に応じたＰＯＩアイコン描画制御部２７の制御により、図３（ｃ）に示すように、「Ｂ県」については、地図上に、「Ａ石油」と別ブランドのガソリンスタンドとしての「Ｂ石油」のアイコンが代替表示される。
【００６２】
以上の構成によれば、隣接行政区画の全域内にジャンル・ブランド該当ＰＯＩが存在しない場合においても、同ジャンル別ブランドのＰＯＩを代替ＰＯＩとして自動的にアイコン表示することによって、煩雑な操作を要することなく、隣接行政区画内に存在する所望のジャンルのＰＯＩを確実に把握することができる。また、所望のジャンルおよびブランドを設定した行政区画（例えば、ユーザの居住県）においてはジャンル・ブランド該当ＰＯＩが存在していたが、その後、他の行政区画に次々と進入していく場合において、ジャンル・ブランド該当ＰＯＩの有無や代替ＰＯＩのブランドが各行政区画ごとに異なるような場合に好適に対応することができる。
【００６３】
上記構成に加えて、更に、隣接行政区画は、進入予定の行政区画としてもよい。この場合に、隣接行政区画含否判定部２３は、経路誘導部３３によって目的地までの誘導経路が設定されている場合には、隣接行政区画が進入予定であることを、隣接行政区画に自車位置よりも前方の経路区間が含まれていることに基づいて判断してもよい。また、誘導経路が設定されていない場合には、自車位置がマッチングされている道路の進行先の形状に基づいて判断してもよい。
【００６４】
ここで、図４は、このような構成による地図表示画面の一例を示したものである。なお、図４においては、便宜上、地図表示領域に、自車位置が属する「Ａ県」と、隣接行政区画としての「Ｂ県」および「Ｃ県」とが含まれているものとする。また、このとき、目的地までの誘導経路にしたがった経路誘導が行われていて、図４に示すように、誘導経路Ｒは、「Ａ県」から「Ｂ県」に進入するように引かれているものとする。この場合に、隣接行政区画含否判定部２３は、「Ｂ県」を以て、地図表示領域に進入予定の隣接行政区画が含まれていると判定する。そして、ジャンル・ブランド該当ＰＯＩ有無判定部２４による判定およびこの判定結果に応じたジャンル該当・別ブランドＰＯＩ有無判定部２６による判定は、「Ｂ県」の全域を判定対象として行われ、「Ｃ県」は、判定対象から除外される。これにより、図４に示すように、「Ｂ県」内にジャンル・ブランド該当ＰＯＩとしての「Ａ石油」が存在しない場合においても、ジャンル該当・別ブランドＰＯＩとしての「Ｂ石油」のアイコンを代替表示することができる。
【００６５】
このような構成によれば、隣接行政区画の全域を対象としたジャンル・ブランド該当ＰＯＩの有無の判定を、ＰＯＩアイコンの表示が必要な進入予定の行政区画（領域）に限定して行うことができるので、無用な処理を未然に回避して、ＰＯＩアイコン表示処理の効率化を図ることができる。
【００６６】
（ＰＯＩアイコン表示方法）
次に、前述したナビゲーション装置１を適用した本発明に係るＰＯＩアイコン表示方法の第１実施形態について、図５を参照して説明する。
【００６７】
本実施形態においては、まず、図５のステップ１（ＳＴ１）において、ＰＯＩ表示条件設定部２０により、操作部５の操作に応じて、ジャンルおよびブランドを設定する。
【００６８】
次いで、ステップ２（ＳＴ２）において、地図描画部１９により、自車周辺地図をディスプレイ６に表示する。
【００６９】
次いで、ステップ３（ＳＴ３）において、隣接行政区画含否判定部２３により、隣接行政区画が地図表示領域に含まれているか否かを判定する。そして、ステップ３（ＳＴ３）において肯定的な判定結果が得られた場合には、ステップ４（ＳＴ４）に進み、否定的な判定結果が得られた場合には、ステップ８（ＳＴ８）に進む。
【００７０】
ここで、ステップ４（ＳＴ４）〜ステップ７（ＳＴ７）の工程について先に説明すると、まず、ステップ４（ＳＴ４）においては、隣接行政区画含否判定部２３により、ステップ３（ＳＴ３）において含まれていると判定された隣接行政区画が、進入予定の行政区画であるか否かを判定する。そして、ステップ４（ＳＴ４）において肯定的な判定結果が得られた場合には、ステップ５（ＳＴ５）に進み、否定的な判定結果が得られた場合には、ステップ１０（ＳＴ１０）に進む。
【００７１】
次いで、ステップ５（ＳＴ５）において、ジャンル・ブランド該当ＰＯＩ有無判定部２４により、ジャンル・ブランド該当ＰＯＩが存在するか否かを判定する。この判定は、ステップ３（ＳＴ３）およびステップ４（ＳＴ４）において含まれていると判定された進入予定の隣接行政区画の全域を判定対象として行う。そして、ステップ５（ＳＴ５）において肯定的な判定結果が得られた場合には、ステップ６（ＳＴ６）に進み、否定的な判定結果が得られた場合には、ステップ１０（ＳＴ１０）に進む。
【００７２】
次いで、ステップ６（ＳＴ６）において、ジャンル該当・別ブランドＰＯＩ有無判定部２６により、ジャンル該当・別ブランドＰＯＩが存在するか否かを判定する。この判定は、ステップ５（ＳＴ５）と同様に、進入予定の隣接行政区画の全域を判定対象として行う。そして、ステップ６（ＳＴ６）において肯定的な判定結果が得られた場合には、ステップ７（ＳＴ７）に進み、否定的な判定結果が得られた場合には、ステップ１０（ＳＴ１０）に進む。
【００７３】
次いで、ステップ７（ＳＴ７）において、ＰＯＩアイコン描画制御部２７によるＰＯＩアイコン描画部２１の制御により、進入予定の隣接行政区画について、代替ＰＯＩとしてのジャンル該当・別ブランドＰＯＩのアイコンを自車周辺地図上に重畳表示する。この代替ＰＯＩのアイコン表示は、自車が隣接行政区画に進入した後も継続されることは勿論である。なお、ステップ１（ＳＴ１）においてジャンルおよびブランドが設定された際の自車位置が属する行政区画については、ジャンル・ブランド該当ＰＯＩの有無に基づいた通常（従来通り）のＰＯＩアイコンの表示／非表示を行えばよい。次いで、自車位置の変動にともなう隣接行政区画への進入後は、ステップ３（ＳＴ３）に戻る。
【００７４】
次に、ステップ８（ＳＴ８）およびステップ９（ＳＴ９）の工程について説明すると、まず、ステップ８（ＳＴ８）においては、ナビＣＰＵ１０により、ステップ４（ＳＴ４）〜ステップ７（ＳＴ７）のいずれかの工程を経ているか否かを判定する。そして、ステップ８（ＳＴ８）において肯定的な判定結果が得られた場合には、ステップ３（ＳＴ３）に戻り、否定的な判定結果が得られた場合には、ステップ９（ＳＴ９）に進む。
【００７５】
次いで、ステップ９（ＳＴ９）において、ＰＯＩアイコン描画部２１により、地図表示領域について、ジャンル・ブランド該当ＰＯＩの有無に基づいた通常のＰＯＩアイコンの表示／非表示を行って、ステップ３（ＳＴ３）に戻る。
【００７６】
次に、ステップ１０（ＳＴ１０）〜ステップ１２（ＳＴ１２）の工程について説明すると、まず、ステップ１０（ＳＴ１０）においては、ナビＣＰＵ１０により、ステップ４（ＳＴ４）〜ステップ７（ＳＴ７）のいずれかの工程を経ているか否かを判定する。そして、ステップ１０（ＳＴ１０）において否定的な判定結果が得られた場合には、ステップ１１（ＳＴ１１）に進み、肯定的な判定結果が得られた場合には、ステップ１２（ＳＴ１２）に進む。
【００７７】
ここで、ステップ１１（ＳＴ１１）に進んだ場合には、ＰＯＩアイコン描画部２１により、自車位置が属する行政区画および隣接行政区画について、ジャンル・ブランド該当ＰＯＩの有無に基づいた通常のＰＯＩアイコンの表示／非表示を行う。そして、自車位置の変動にともなう隣接行政区画への進入後は、ステップ３（ＳＴ３）に戻る。
【００７８】
一方、ステップ１２（ＳＴ１２）に進んだ場合には、ＰＯＩアイコン描画部２１により、新たな隣接行政区画について、ジャンル・ブランド該当ＰＯＩの有無に基づいた通常のＰＯＩアイコンの表示／非表示を行う。そして、自車位置の変動にともなう新たな隣接行政区画への進入後は、ステップ３（ＳＴ３）に戻る。
【００７９】
ステップ３（ＳＴ３）からステップ１２（ＳＴ１２）までの工程は、ＰＯＩ表示条件設定部２０の設定が解除されるまで、あるいは、目的地への到着判定がなされるまで繰り返すようにしてもよい。
【００８０】
（第２実施形態）
次に、本発明に係るナビゲーション装置およびＰＯＩアイコン表示方法の第２実施形態について、第１実施形態との際を中心に、図６乃至図８を参照して説明する。
【００８１】
図６に示すように、本実施形態においては、ナビＣＰＵ１０が、第１実施形態（図２）に示したような隣接行政区画含否判定部２３を有してはいない。
【００８２】
また、図６に示すように、本実施形態において、ナビＣＰＵ１０は、第１実施形態と同様に、ジャンル・ブランド該当ＰＯＩ有無判定部２４、ジャンル該当・別ブランドＰＯＩ有無判定部２６およびＰＯＩアイコン描画制御部２７を有しているが、これらの構成部の処理対象となる領域（判定対象領域）は、第１実施形態のような隣接行政区画含の全域ではなく、地図表示領域となっている。
【００８３】
ここで、図７は、本実施形態の動作例としての地図表示画面の画面遷移例を示したものである。
【００８４】
すなわち、図７（ａ）は、地図表示領域内に、ジャンル・ブランド該当ＰＯＩとしてのガソリンスタンド「Ａ石油」が存在しており、地図上に、「Ａ石油」のアイコンが重畳表示された状態を示している。
【００８５】
次に、このような状態から、自車位置の変動や地図スクロール操作等によって、図７（ｂ）に示すように、地図表示領域が変化したものとする。そして、図７（ｂ）の状況下で、変化後の地図表示領域を判定対象としたジャンル・ブランド該当ＰＯＩ有無判定部２４による判定が行われて、変化後の地図表示領域には「Ａ石油」が存在しないと判定されたものとする。また、これに応じて、変化後の地図表示領域を判定対象としたジャンル該当・別ブランドＰＯＩ有無判定部２６による判定が行われて、変化後の地図表示領域には「Ａ石油」と別ブランドのガソリンスタンドが存在すると判定されたものとする。
【００８６】
そして、このような判定に応じたＰＯＩアイコン描画制御部２７の制御により、図７（ｃ）に示すように、変化後の地図表示領域においては、地図上に、「Ａ石油」と別ブランドのガソリンスタンドとしての「Ｂ石油」のアイコンが代替表示される。
【００８７】
このような本実施形態の構成を適用したＰＯＩアイコン表示方法は、図８に示すようになる。
【００８８】
図８に示すように、本実施形態においては、ステップ２（ＳＴ２）の後に、第１実施形態（図５）に示したようなステップ３（ＳＴ３）およびステップ４（ＳＴ４）の工程は経ずに、ステップ５（ＳＴ５）に進む。
【００８９】
また、本実施形態においては、ステップ５（ＳＴ５）におけるジャンル・ブランド該当ＰＯＩの有無の判定、ステップ６（ＳＴ６）におけるジャンル該当・別ブランドＰＯＩの有無の判定、ステップ７（ＳＴ７）における代替ＰＯＩのアイコン表示は、地図表示領域を対象として行う。
【００９０】
さらに、ステップ７（ＳＴ７）の後は、自車位置の変動にともなう地図表示領域の変化にともなって、ステップ５（ＳＴ５）に戻る。
【００９１】
さらにまた、本実施形態においては、ステップ５（ＳＴ５）において肯定的な判定結果が得られた場合およびステップ６（ＳＴ６）において否定的な判定結果が得られた場合に、ステップ１３（ＳＴ１３）に進む。このステップ１３（ＳＴ１３）においては、ＰＯＩアイコン描画部２１により、地図表示領域について、ジャンル・ブランド該当ＰＯＩの有無に基づいた通常のＰＯＩアイコンの表示／非表示を行う。そして、自車位置の変動にともなう地図表示領域の変化後は、ステップ５（ＳＴ５）に戻る。
【００９２】
本実施形態によれば、地図表示領域内にジャンル・ブランド該当ＰＯＩが存在しない場合においても、同ジャンル別ブランドのＰＯＩを代替ＰＯＩとして自動的にアイコン表示することによって、煩雑な操作を要することなく、地図表示領域内に存在する所望のジャンルのＰＯＩを確実に把握することができ、また、現在地の変動にも柔軟に対応することができる。
【００９３】
なお、本発明は、前述した実施の形態に限定されるものではなく、本発明の特徴を損なわない限度において種々変更してもよい。
【符号の説明】
【００９４】
１  ナビゲーション装置
１１  ハードディスクドライブ
１９  地図描画部
２０  ＰＯＩ表示条件設定部
２１  ＰＯＩアイコン描画部
２４  ジャンル・ブランド該当ＰＯＩ有無判定部
２６  ジャンル該当・別ブランドＰＯＩ有無判定部
２７  ＰＯＩアイコン描画制御部
【図１】
2013238410.tif 000003
【図２】
2013238410.tif 000004
【図３】
2013238410.tif 000005
【図４】
2013238410.tif 000006
【図５】
2013238410.tif 000007
【図６】
2013238410.tif 000008
【図７】
2013238410.tif 000009
【図８】
2013238410.tif 000010